(57)【特許請求の範囲】
【請求項１】
印刷済み媒体を、連続する流れとして出力する、複数のマーキングエンジンと、
前記印刷済み媒体を後処理する１以上の後処理ステーションと、
２以上の前記マーキングエンジンからの印刷済み媒体を１以上の後処理ステーションへと搬送する媒体搬送路システムと、
を備え、
前記媒体搬送路システムは、複数の媒体搬送路要素を含み、
それぞれの前記媒体搬送路要素は、前記印刷済み媒体を、互いに逆方向に搬送する互いに平行な第１部分経路および第２部分経路と、前記第１および第２部分経路に交差するよう配置され、前記印刷済み媒体を搬送し、かつ前記第１および第２部分経路との交差位置において第１および第２部分経路に対し前記印刷済み媒体の流れを合流または分流させる第３部分経路と、を有し、
前記第３部分経路の一端は、前記マーキングエンジンからの前記印刷済み媒体の流れの入口となり、他端は、前記後処理ステーションへの流れの出口となることが可能であり、
第１部分経路は、隣接する媒体搬送路要素の第１部分経路と接続され、
第２部分経路は、隣接する媒体搬送路要素の第２部分経路と接続され、
前記第１部分経路と第３部分経路が合流する位置において、前記第３部分経路を流れる前記印刷済み媒体を、第１部分経路を流れる前記印刷済み媒体に重ねることが可能な、
印刷システム。
【請求項２】
印刷済み媒体を連続する複数の流れとして出力するステップと、
出力された前記印刷済み媒体の流れを他の流れの上に載せて搬送し送り出すステップと、
送り出された前記印刷済み媒体を後処理するステップと、
を有し、
前記印刷済み媒体の流れを他の流れの上に載せて搬送し送り出すステップは、複数の媒体搬送路要素を含む媒体搬送路システムを用いて実行され、
それぞれの前記媒体搬送路要素は、前記印刷済み媒体を互いに逆方向に搬送する互いに平行な第１部分経路および第２部分経路と、前記第１および第２部分経路に交差するように配置され、前記印刷済み媒体を搬送し、かつ前記第１及び第２部分経路との交差位置において第１及び第２部分経路に対し前記印刷済み媒体の流れを合流または分流させる第３部分経路と、を有し、
第３部分経路の一端は、出力された前記印刷済み媒体の流れの入口となり、他端は、送り出す前記印刷済み媒体の流れの出口となり、
第１部分経路は、隣接する媒体搬送路要素の第１部分経路と接続され、
第２部分経路は、隣接する媒体搬送路要素の第２部分経路と接続され、
第１部分経路と第３部分経路が合流する位置において、前記第３部分経路を流れる前記印刷済み媒体を、第１部分経路を流れる前記印刷済み媒体に重ねることにより、前記印刷済み媒体の流れを他の流れの上に載せて搬送し送り出すステップが実行される、
印刷システム動作方法。
【請求項３】
請求項２に記載の印刷システム動作方法であって、
複数の媒体供給システムのうちの任意のものから、印刷済み媒体の流れを複数出力する複数のマーキングエンジンのうちの任意のものへと、媒体を搬送する、ステップ
を更に含む、印刷システム動作方法。
【発明の詳細な説明】
【技術分野】
【０００１】
この発明は、画像の印刷システムに関し、特に、媒体に印刷を行い後処理するためのシステム、及び印刷システム動作方法に関する。
【背景技術】
【０００２】
様々なプリンタやサード・パーティの後処理装置（フィニッシャ）は、それぞれシート（例えば用紙）の出力レベルおよびシートの入力レベルが異なっている。
【０００３】
クラスタ（分散処理）印刷システムは、比較的低速度の多数のマーキングエンジンを、並列にグループ化することにより、高い印刷速度または印刷レートでの印刷を可能にしている。これらのシステムは、コスト的に非常に高い競争力を持つとともに、冗長性を有しているので単一エンジンのシステムより有利である。例えば、１つのマーキングエンジンが故障しても、このシステムは、残りのマーキングエンジンを用いて低下した処理能力で機能しうる。既存のクラスタシステムの１つの不利な点は、印刷出力が１つに合流させられないことであり、このことはオペレータが複数の出力トレイに出された分散されたジョブの出力物を集めなければならない可能性があることを意味している。このほかの不利な点は、複数の冗長な後処理装置が必要なことである。
【０００４】
並列印刷システムを作る場合、給紙や後処理は多様な方式で実装することができる。例えば、並列のマーキングエンジン群にシートを配送するのに単一の高速給紙システムを用いることもあるし、この代わりに、各エンジンがそれぞれ専用の給紙部（１つの場合もあれば複数の場合もある）を備えるようにする場合もある。同様の状況は出力側にもある。各マーキングエンジンに専用の後処理装置を用いることもできるし、出力をまとめて単一の後処理装置に投入するようにしても良い。現在入手できるシステムの１つの不利な点は、いったんシステムを構成してしまうと、給紙、マーキング（印刷）、及び後処理のシステムと、それらシステム間の媒体の搬送路が専用のものとなってしまい、容易には変更できないことである。
【０００５】
【特許文献１】米国特許第５２０８６４０号明細書
【特許文献２】米国特許第５２７２５１１号明細書
【特許文献３】米国特許第６６０８９８８号明細書
【特許文献４】米国特許出願公開第２００３／００７７０９５号明細書
【発明の開示】
【発明が解決しようとする課題】
【０００６】
別の問題が、複数のマーキングエンジンからの出力をまとめるところにおいて、生じる。現状では、図１に示すように、各印刷エンジンの比較的低速度の出力が、加速され、高速な媒体搬送路にまとめられる。シート同士の間の文書間ギャップを維持するとともに、個々のマーキングエンジンからの出力の速度を落とすことなくそれら全ての出力を１つのストリーム（流れ）にまとめるために、その搬送路は速度を速められている。シートを異なる速度へと加速するためには、媒体搬送路がかなり長くなる。特に大きいサイズの媒体を用いる場合にはそうである。もし、シートが高速度へと加速され、更に例えば両面印刷やマルチ・フォーマット印刷の場合のように複数のマーキングエンジンの中の１つを通ってシートを再循環させられる必要がある場合、シートをそのマーキングエンジンの速度に減速しなければならず、このためにはかなりの長さの媒体搬送路、より複雑な駆動系やニップ・リリース(nip  release)などを必要とする。高速媒体搬送路の速度には実用上の限界がある。更に、高速媒体搬送路の速度は、後処理装置の容量によって更に制限される可能性がある。例えば、１分当たり２００ページの容量の単一の後処理装置を有するシステムは、高速媒体搬送路の速度を１分当たりそれと同じページ数に制限する必要があり、そうしない場合は他の後処理用の場所にシートを送る必要がでてくる。
【課題を解決するための手段】
【０００７】
本発明に係る印刷システムは、印刷済み媒体を連続する流れとして出力する複数のマーキングエンジンと、前記印刷済み媒体を後処理する１以上の後処理ステーションと、２以上の前記マーキングエンジンからの印刷済み媒体を１以上の後処理ステーションへと搬送する第１の媒体搬送路システムであって、前記流れが他の流れの上に載るよう合流させて搬送可能な媒体搬送路システムと、を備える。
【０００８】
また、本発明に係る印刷システム動作方法は、印刷済み媒体を連続する複数の流れとして出力するステップと、印刷済み媒体の流れを他の流れの上に載せて搬送するステップと、前記印刷済み媒体を後処理するステップと、を有する。
【０００９】
ここで、印刷システム動作方法は、複数の媒体供給システムのうちの任意のものから、印刷済み媒体の流れを複数出力する複数のマーキングエンジンのうちの任意のものへと、媒体を搬送するステップ、を更に含む。
【発明を実施するための最良の形態】
【００１０】
図２ａ及び２ｂは、本発明に係る特徴を備えたシステムの一例を示す。以下で開示される各実施例は、図面に示された例を参照して説明されるが、それら各実施例は他の様々な形態として具現化し得ることを理解されたい。また、要素や材料についてはサイズ、形状あるいは種類が適切なものであればどのようなものも利用できる。
【００１１】
図２ａに示すように、印刷システム１０は、概略的には、２つのマーキングシステム１５ａ及び１５ｂと後処理システム２０とを備える印刷システムである。媒体搬送路は、２つのマーキングシステム１５ａ，１５ｂにより印刷されたシートが後処理システム２０の蓄積（コンパイリング）ステーション２５へと渡される前ある位置において、１つシートが他のシートの上に載るように合流させられるような形で設けられている。この合流機能は、図２ａに示されるように後処理装置の上流にある媒体搬送路に設けてもよいし、後処理システムの媒体搬送路に設けてもよい。図２ａに示される例では、２つのマーキングエンジン１５ａ，１５ｂはそれぞれ専用の給紙システム３０ａ，３０ｂを有しているが、１または複数の給紙ユニットから各マーキングエンジンに対してシートが給紙されるような他の給紙システムを利用できることもできる。図２ａに示される例は２つのマーキングエンジンを持つが、３以上のマーキングシステムを、すべてのマーキングシステムからのシートを蓄積する前に合流させる媒体搬送路と共に用いることも可能である。
【００１２】
図２ｂに示すように、印刷システム１００は、概略的には、給紙システム１０５、マーキングシステム１１０、及び後処理システム１１５を備える印刷システムである。給紙システム１０５とマーキングシステム１１０は媒体搬送路１２０により連結され、マーキングシステム１１０と後処理システム１１５は同様の媒体搬送路１２５により連結されている。給紙システム１０５，マーキングシステム１１０及び後処理システム１１５は、それぞれ、給紙モジュール、マーキングエンジン、及び後処理モジュールを、１つ又は複数備えている。
【００１３】
実施例のうちいくつかの例の特徴は、給紙システム１０５内の１つ又は複数の給紙モジュールのうちのいずれもがマーキングシステム１１０の１つ又は複数のマーキングエンジンのいずれに対しても媒体を配送できるようにする媒体搬送路を、備えることである。実施例のうちのいくつかの例の別の特徴は、マーキングシステム１１０の１つ又は複数のマーキングエンジンのいずれもが後処理システム１１５の１又は複数の後処理モジュールのいずれに対しても媒体を配送できるようにする媒体搬送路を備えることである。更に別の特徴は、マーキングシステムからの印刷済み媒体を、互いの上に載るよう合流させる、即ち積み重ねることである。また、１つのグループ又はセットとして合流させた印刷済み媒体群を、後処理モジュールに供給することもできる。
【００１４】
このように、実施例のいくつかは、高いレベルのルーティング（媒体搬送の経路制御）に柔軟性を提供する。実施例は、一度に１シートしか取り扱えない後処理装置により実現される印刷速度よりも速い印刷速度での後処理及び蓄積をも可能にする。例えば、最高印刷速度１５０ｐｐｍでシート束を積み重ねるためにタンピング（tamping，トントンとたたいて揃える）技術を用いる後処理装置は、シート群が２つか３つのグループとなって運ばれてくれば、約３００又は４５０ｐｐｍでシート群を積み重ねることができる。
【００１５】
他の例では、システム１０，１００は、重い媒体、ラベル、その他の特別な用紙が用いられている場合、マーキングシステム１５ａ，１５ｂ，１１０の印刷速度を低下させるように動作してもよい。またマーキングシステム１５ａ，１５ｂ，１１０の出力を合流させない制御してもよい。
【００１６】
図２ｂを参照して説明すると、給紙システム１０５は、概略的には、マーキングシステム１１０に媒体１６０を供給するように動作する。上述のように、給紙システム１０５は、１つ又は複数の給紙モジュール１３０1，・・・，１３０nを備える。給紙モジュール１３０1，・・・，１３０nの動作は、すべて一緒に統合してもよいし、いくつかのグループごとに統合したりしてもよいし、それぞれ独立に動作するようにしてもよい。給紙モジュール１３０1，・・・，１３０nは、マーキングシステム１１０の利用に供するために、さまざまな形態の媒体１６０を供給する能力を有していてもよい。例えば、給紙モジュール１３０1，・・・，１３０nは、紙、ポリマー、プラスティック、織物、あるいはその他の適切な媒体を、マーキングシステム１１０での利用のために提供するようにすることもできる。給紙モジュール１３０1，・・・，１３０nは、媒体１６０を個別のシート、連続紙ロール、その他マーキングシステム１１０に適した形態で提供するようにすることもできる。
【００１７】
マーキングシステム１１０は、概略的には、画像を媒体１６０上に形成するためのものである。例えばグラフィックス、テキスト、写真等の画像を媒体１６０に形成するための処理は、ここでは包括的に印刷と呼ぶこととする。マーキングシステム１１０の１つ又は複数のマーキングエンジン１３５1，・・・，１３５nは、電子写真方式のマーキング技術を用いるものとすることができる。しかし、本実施例の一部として、他のマーキング技術を利用してもかまわない。１つ又は複数のマーキングエンジン１３５1，・・・，１３５nは、それぞれ独立して制御してもよいし、いくつかのグループ単位で統合的に、又は全て一緒に統合的に制御してもよい。各マーキングエンジン１３５1，・・・，１３５nは、概略的にいえば、画像を媒体１６０に形成する画像転写機能部１４０、及び媒体搬送機能部１４５を備える。
【００１８】
後処理システム１１５は、概略的には、印刷済み媒体１６５を蓄積し、後処理するよう動作する。後処理システム１１５の１つ又は複数の後処理モジュール１５０1，・・・，１５０nは、概略的には、例えば切断、積み重ね（スタック処理）、ステープル留め、折りたたみ、封筒への挿入、重量測定、及びスタンプ押しなど、印刷済み媒体１６５を取り扱い、処理する様々な装置を備えていてもよい。後処理モジュール１５０1，・・・，１５０nの少なくとも１つは、積み重なった印刷済み媒体１６５の側面から垂直に当接してタンピングによりそれら媒体１６５を揃える処理ができるようにしてもよい。
【００１９】
後処理モジュール１５０1，・・・，１５０nは、この例では並列に配列されているが、直列に配列してもよく、直列又は並列の配列の組み合わせの仕方はどのようなものでもよく、またその他の適切な仕方で配列してもよい。後処理モジュール１５０1，・・・，１５０nの動作は、個別に動作してもよいし、いくつかのグループごと、あるいは全体で統合してもよい。
【００２０】
媒体搬送路１２０は、給紙システム１０５からマーキングシステム１１０へと媒体１６０を運ぶように動作し、媒体搬送路１２５は、印刷済み媒体１６５をマーキングシステム１１０から後処理システム１１５へと運ぶように動作する。媒体搬送路１２０及び１２５は、複数の経路の選択肢を提供する１又は複数の媒体搬送路要素１７０1，・・・，１７０nを備えていてもよい。
【００２１】
図３は、媒体搬送路要素１７０の一例を示す図である。媒体搬送路要素１７０は、概略的には、媒体を、互い平行な経路に沿って互いに逆方向に搬送する２つの部分経路３２０，３２５を備える。第３の部分経路３３０は、前記２つのセクションの中間の位置で横方向に媒体搬送路要素に入り、経路３２０及び３２５と「交差」し、これら経路３２０及び３２５に対し、出入りして合流する。ゲート・システム（図示省略）は、媒体搬送路要素１７０内で媒体が搬送される経路を制御する。搬送路３２０は、入力部３１０2と出力部３１５1とを備える。搬送路３２５は、入力部３１０3と出力部３１５2とを備える。搬送路３３０は、入力部３１０1と出力部３１５3とを備える。
【００２２】
この例において、用紙搬送路要素１７０は、３つの要素セクション、３つの入力部、及び３つの出力部、を有する形で示されているが、用紙搬送路要素１７０が持つ部分要素である、入力部、出力部の数がいくつでもよいことは理解されるべきである。媒体１６０は入力部３１０1，・・・，３１０3にて入力され、出力部３１５1，・・・，３１５3のいずれかへ導かれるよう経路選択される。媒体搬送経路要素１７０は例えばモジュラー構造であり、任意数の媒体搬送路要素１７０1，・・・，１７０nを連結して経路選択可能な用紙搬送路群を構成するようにしてもよい。この構成は媒体搬送経路選択に高度の柔軟性をもたらす。
【００２３】
図２ｂに示すように、媒体搬送路要素１７０1，・・・，１７０nは、給紙モジュール１３０1，・・・，１３０nのいずれかからマーキングエンジン１３５1，・・・，１３５nのいずれかへの、媒体搬送路を提供する。媒体搬送路要素１７０1，・・・，１７０nは、媒体搬送路１２５内では、マーキングエンジン１３５1，・・・，１３５nのいずれかから後処理モジュール１５０1，・・・，１５０nのいずれかへの、媒体搬送路を提供するのに用いられる。例えば、１つの高速給紙モジュールが複数のマーキングエンジンに給紙するようにしても、いくつかの給紙モジュールが複数のマーキングエンジンに対しそれぞれ給紙するようにしてもよい。用紙搬送路１２０は、マーキングエンジン１３５1，・・・，１３５nに供給を行うに際し、単一の合流した用紙搬送路に頼らない点で有利である。給紙モジュール１３０1，・・・，１３０n、用紙搬送路要素１７０1，・・・，１７０n、マーキングエンジン１３５1，・・・，１３５n、又は後処理モジュール１５０1，・・・，１５０n のうちの１つ又は複数が故障した場合に、給紙モジュール群、用紙搬送路要素群、マーキングエンジン群、及び後処理モジュール群が機能することにより、媒体搬送路１２０は、媒体を搬送する経路を提供することができる。これは並列印刷システムにおいて特に有利である。
【００２４】
媒体搬送路要素１７０をモジュール化することにより、印刷システム１００の設計及び開発を大幅に単純化することができる。このモジュール化によれば、給紙モジュール１３０1，・・・，１３０n、マーキングエンジン１３５1，・・・，１３５n、及び後処理モジュール１５０1，・・・，１５０n を必要に応じて追加したり取り外しすることで、印刷システム１００の規模を拡張したり縮小したりすることが可能となる。
【００２５】
図４は、媒体搬送路要素４１０の別の実施例を示す図である。媒体搬送路要素４１０は、モジュール化されている点、及び任意数の入力部から任意数の出力部への媒体の経路選択が可能である点において、媒体搬送路要素１７０と同様である。
【００２６】
本実施例では、媒体搬送路要素４１０は、１つ又は複数の入力から媒体を受け入れ、複数の媒体基板が同じ経路に沿って並列に運ばれるように、それら媒体を積み重ね、その積み重ねたものを特定の出力部まで運ぶように動作する。
【００２７】
図４の実施例は３つの媒体搬送路要素４１０1，・・・，４１０3を用いているが、媒体搬送路要素４１０はいくつ利用してもよい。図示された各媒体搬送路要素４１０1，・・・，４１０3は３つの入力部４１５，４２５，４３５と、３つの出力部４２０，４３０，４４０を有しているが、媒体搬送路要素４１０1，・・・，４１０3は入力部と出力部をいくつ有していてもよい。
【００２８】
図４を参照すると、媒体搬送路要素４１０1，・・・，４１０3は、以下のように相互に接続されている。すなわち、媒体搬送路要素４１０1の出力部４４０1が媒体搬送路要素４１０2の入力部４２５2に接続され、媒体搬送路要素４１０2の出力部４４０2が媒体搬送路要素４１０3の入力部４２５3に接続されている。印刷済み媒体１６５は媒体搬送路要素４１０1の入力部４１５1に入力され出力部４４０1へ向って搬送される。媒体搬送路要素４１０2では、追加の印刷済み媒体４５０が入力部４１５2に入力され、入力部４２５2からの印刷済み媒体１６５に積み重ねられ、すなわち合流させられることにより、第１のスタック（積み重ねたもの）４５５が形成される。第１のスタック４５５は出力部４４０2へ向かって搬送される。媒体搬送路要素４１０3では、追加の印刷済み媒体４６０が入力部４１５3に入力され、第１のスタック４５５に積み重ねられ（すなわち合流させられ）ることにより、第２のスタック４６５が形成される。そして第２のスタック４６５は出力部４３０3へ向って搬送される。この代わりに、第２のスタック４６５を、更なる別の任意の数の媒体搬送路要素に向かって搬送し、更なる印刷済み媒体と一緒にまとめてもよい。
【００２９】
従来からの媒体搬送路の駆動ニップは、高摩擦なエラストマーの駆動ローラーを搬送路の一方の側に備え、低摩擦なアイドラローラーをもう一方の側に備える。本実施例の印刷システムでは、複数枚のシートが搬送路、特に媒体搬送路要素４１０の搬送路部分を搬送されるので，媒体搬送路要素４１０にある駆動ニップ４８０，４８１は、更に、媒体搬送路の両側に、高摩擦の駆動ローラーを備えるようにしてもよい。これにより、媒体搬送路内に追加されるシート状の媒体が、このシステム内を搬送されていく間、バッフル(baffle)摩擦により滑るのを防止できる。
【００３０】
図２ｂに示す媒体搬送路１２０，１２５は、いくつの媒体搬送路要素１７０，４１０をどのような組み合わせで備えていてもよい。また、媒体搬送路要素１７０，４１０は、直列に配列しても、並列に配列しても、若しくは直列と並列のいかなる組合せで配列してもよい。
【００３１】
以上からわかるように、媒体搬送路要素４１０1，・・・，４１０3は、複数の媒体の流れをお互いの上に積み重ね（すなわち媒体の流れを別の媒体の流れの上に積み重ね）て合流させ、そのスタック（積み重ねたもの）を特定の出力部まで運ぶように動作する。積み重ねられた媒体は、後処理モジュール１５０1，・・・，１５０n（図２ｂ）などの別の処理に渡される。
【００３２】
媒体搬送路要素１７０，４１０は、媒体が、変更可能なセットをなして積み重ねられるよう、選択的に媒体を積み重ねるように構成してもよい。例えば、マーキングシステム１１０（図２ｂ）の出力は、印刷済み媒体が３枚ずつの束をなすよう積み重ねられ、その後印刷済み媒体が２枚ずつの束をなすように積み重ねられるようにしてもよい。あらゆる適切な積み重ね処理配列を構成することができる。
【００３３】
媒体搬送路要素１７０，４１０は、バッファ（一時的な貯蔵装置）として構成することもできる。この場合、媒体搬送路要素１７０，４１０は、特定のサイズ（枚数）のシート状媒体の束が必要とされないときに、画像すなわち媒体を一時的に保持し、マーキングシステム１１０や後処理システム１１５に対しシート状媒体を搬送する。必要に応じて枚数を増やしたり減らしたりして搬送するよう構成してもよい。
【００３４】
この構成によれば、印刷済み媒体１６５を速い速度へと加速することなく、また特別な高速の後処理装置、後処理システム又は後処理モジュールを必要とすることなく、並列印刷システムにおいて非常に高速な印刷済み媒体の蓄積及び後処理を、実現することができる。媒体は、１つ又は複数のマーキングエンジン１３５1，・・・，１３５n（図２ｂ）により適切な順番で印刷され、正しいページ順序に整えられる。媒体搬送路要素４１０1，・・・，４１０3は、印刷済み媒体１６５をある程度位置合わせして、合流させ、まとめる。例えば媒体搬送路要素４１０1，・・・，４１０3は、第１及び第２のスタック（積み重ねたもの）４５５，４６５における各印刷済み媒体１６５の各辺を、約２ｍｍ以内に位置合わせする。
【００３５】
図５は、マーキングエンジン５１０，５１５を直角、すなわち、「放射状」に配置して統合する方式を示している。この例では、マーキングエンジン５１０，５１５は出力経路５４０，５４５をそれぞれ備えており、これら経路同士は最初の部分において互いに直行している。装置５２０は、出力経路５４０及び出力経路５４５が同じ方向と速度を持つように調整するよう動作する。マーキングエンジン５１０，５１５から出力された媒体（この例では印刷済みのシート）は、上述の構造及び技術を用いて合流させられ、積み重ねられた後、後続の処理、例えば後処理装置５２５やタンピング後処理装置５３０等に送られる。
【００３６】
以上のような各実施例によれば、印刷システムにおける様々な構成要素を、他の構成要素に選択的に連結することができ、媒体搬送において高いレベルの柔軟性を印刷システムに提供することができる。これにより、処理動作上の柔軟性と冗長性がもたらされ、高速な並列動作が可能になり、媒体搬送が高速でなくてもよく、媒体搬送路の大きさや複雑さを低減することができる。
【図面の簡単な説明】
【００３７】
【図１】従来技術である高速媒体搬送路を示す概略図である。
【図２ａ】本実施例における印刷システムの構成を示す概略図である。
【図２ｂ】本実施例における印刷システムの他の構成例を示す概略図である。
【図３】本実施例における媒体搬送路要素を示す図である。
【図４】本実施例における媒体搬送路要素の他の構成例を示す図である。
【図５】本実施例における「放射状」の統合を採用した、媒体搬送路要素を示す図である。
【符号の説明】
【００３８】
１０  印刷システム、１５ａ，１５ｂ  マーキングシステム、２０  後処理システム、２５  蓄積システム、３０  給紙システム、１００  印刷システム、１０５  給紙システム、１１０  マーキングシステム、１１５  後処理システム、１２０，１２５  媒体搬送路、１３０  給紙モジュール、１３５  マーキングエンジン、１５０  後処理モジュール、１６０  媒体、１６５  印刷済み媒体、１７０  媒体搬送路要素、３２０，３２５，３３０  経路、４５５，４６５  スタック、５１０，５１５  マーキングエンジン、５２５，５３０  後処理装置、５４０，５４５  出力経路。
【図１】
0004629447.tif 000002
【図２ａ】
0004629447.tif 000003
【図２ｂ】
0004629447.tif 000004
【図３】
0004629447.tif 000005
【図４】
0004629447.tif 000006
【図５】
0004629447.tif 000007